Podtech/llm-jp-corpus-v4-ja_patent huggingface dataset:
(57)【要約】【課題】積み木はただ積んでいくだけのものであった。本発明は、ただ積んでいくだけの積み木ではなく、穴にあわせ通して木を積んで嵌めるものを提供する。【解決手段】中心部に台を小さい順に穴にあわせ通して積んでいき嵌める。【選択図】図２
2011240088.tif 000002
【特許請求の範囲】
【請求項１】
中心部に台を小さい順に穴にあわせ通して積んでいき嵌める、ピラミッド嵌め木。
【発明の詳細な説明】
【技術分野】
【０００１】  本発明は、ただ積んでいくだけの積み木ではなく、穴にあわせ通して木を積んで嵌める、積み木ならぬピラミッド嵌め木に関するものである。
【背景技術】
【０００２】  従来、積み木はただ積んでいくだけのものであった。
【先行技術文献】
【０００３】
【発明の概要】
【発明が解決しようとする課題】
【０００４】  積み木はただ積んでいくだけのものであった。本発明は以上の問題点を解決するものである。
【課題を解決するための手段】
【０００５】  中心部に台を小さい順に穴にあわせ通して積んでいき嵌める。
【発明の効果】
【０００６】  積んでいくだけの積み木ではなく、穴にあわせ通して木を積んで嵌めることができる。
【図面の簡単な説明】
【０００７】
【図１】本発明の完成時の斜視図
【図２】本発明の中心部の斜視図
【図３】本発明の台の上面図
【図４】本発明の台の断面図
【図５】本発明の台の下面図
【発明を実施するための形態】
【０００８】  以下、本発明の実施の形態を説明する。
中心部（１）の凸部に台Ａ（２）、台Ｂ（３）、台Ｃ（４）、台Ｄ（５）の穴にあわせながら積んで回し嵌める。
本発明は以上のような構造である。
台Ｄ（５）を回し中心部（１）の凸部と穴をあわせてはずし、台Ｃ（４）を回し中心部（１）の凸部と穴をあわせてはずし、台Ｂ（３）を回し中心部（１）の凸部と穴をあわせてはずし、台Ａ（２）を回し中心部（１）の凸部と穴をあわせてはずす。
【符号の説明】
【０００９】  （１）中心部、（２）台Ａ、（３）台Ｂ、（４）台Ｃ、（５）台Ｄ
【図１】
2011240088.tif 000003
【図２】
2011240088.tif 000004
【図３】
2011240088.tif 000005
【図４】
2011240088.tif 000006
【図５】
2011240088.tif 000007
【手続補正書】
【提出日】平成22年6月7日(2010.6.7)
【手続補正１】
【補正対象書類名】図面
【補正対象項目名】全図
【補正方法】変更
【補正の内容】
【図１】
2011240088.tif 000008
【図２】
2011240088.tif 000009
【図３】
2011240088.tif 000010
【図４】
2011240088.tif 000011
【図５】
2011240088.tif 000012
(57)【要約】      （修正有）【課題】キャンプなど野外で大人数が食事するときは、大きなトレーが便利だが、トレーが大きくなればなるほど現地までの持ち運びや、普段の収納には広い場所が必要となって不便であったので、収納場所に不便な大きなトレーをコンパクトに収納でき、且つ持運びが楽になるようにした組立て式のトレーを提供する。【解決手段】トレー１を中心部と他４枚に均等に分解して収納できるようにし、使用するときはトレー１の中心部に４枚を嵌め込むように組んでいき、最後に裏から輪ゴムで締め付けて組み上げられるようにトレー１の底に高台を設けた。【選択図】図１
2011240091.tif 000002
【特許請求の範囲】
【請求項１】
トレーの中心部と、その他を均等に４分割し、５枚のパーツと輪ゴムをセットにして収納し、前記トレーを使用するときは、前記中心部に４分割された前記トレーの前記パーツを嵌め込むように組み、最後に前記トレーの裏側の高台に前記輪ゴムをかけて５枚の前記パーツを締め付けるように固定させて使用することを特徴とする組立て式トレー。
【発明の詳細な説明】
【技術分野】
【０００１】  本発明は、コンパクトに収納できる野外パーティ用トレーに関するものである。
【背景技術】
【０００２】  従来の大きなトレーは、野外に持ち出すときや、収納に広いスペースを必要として不便であった。
【発明の概要】
【発明が解決しようとする課題】
【０００３】  従来、大きなトレーは野外に持ち出す場合、広いスペースを必要とするので持ち運びが不便であった。また、収納するにも広いスペースを必要とするので収納場所の確保が難しかった。
本発明は、以上の問題点を解決するためになされたものである。
【課題を解決するための手段】
【０００４】  トレーを中心部とその他４枚に均等に分解し、５枚のパーツと輪ゴムをセットに収納できるようコンパクトにした。
トレーを使用するときは、中心部に分割した４枚を嵌め込むようにして組立て、最後にトレーの裏側の高台を輪ゴムで固定して使用する。
以上の構成よりなる組立て式トレー。
【発明の効果】
【０００５】  この組立て式トレーは、５つのパーツと輪ゴムに分解できるのため、従来の大きなトレーと異なり、大凡数分の１の大きさとなるため、持ち運びが極めて容易で、狭いスペースに収まるので収納場所の確保が容易になる等の効果がある。
【図面の簡単な説明】
【０００６】
【図１】本発明の組立て式トレーの一部パーツを取り外した状態を表す正面図
【図２】本発明のトレーとトレー中心部との関係を示す側面図
【図３】本発明のトレーと中心部の組立てる順番を現わす組立て図
【図４】本発明のトレーと中心部の位置関係を表す裏面図
【図５】本発明のトレーを中心部に嵌め込んでいく形を表す裏面図
【図６】本発明の組立てトレーの完成裏面図
【発明を実施するための形態】
【０００７】  以下、本発明を実施するための形態を図面に基づいて説明する。
（イ）トレー（１）の直線状の一方の縁部１Ａに他のトレー（１）を挿着し組立てるためのトレー連結凸部（４）を設けるとともに、もう一方の直線状の縁部１Ｂにトレー連結凹部（５）を設けてある（図１）。
（ロ）更に、トレー（１）とトレー中心部（２）とを連結するために、トレー（１）の縁部１Ａと縁部１Ｂの略交差部にトレー差込み凸部（３）を設け、トレー中心部（２）の周囲の適宜位置にトレー中心部差込み口（６）を設ける（図１、図２）。
（ハ）トレー（１）の裏側のトレー裏面（８）に、トレー（１）とトレー中心部（２）をしっかりと挿着したのちに、全パーツを固定するための輪ゴム（９）をかける高台（７）を設ける（図２、図３、図４、図５、図６）。
本発明は以上のような構造である。
本発明を使用するときは、トレー（１）のトレー連結凸部（４）と他のトレー（１）のトレー連結凹部（５）を重なり合うように挿着して連結しながら、トレー中心部（２）のトレー中心部差込み口（６）にトレー差込み凸部（３）を嵌め込んで４枚のトレー（１）と、トレー中心部（２）を組みあげる。
４枚のトレー（１）とトレー中心部（２）が組みあがると、トレー裏面（８）の高台（７）に輪ゴム（９）をかけて全パーツを固定させて完成させる。
【符号の説明】
【０００８】（１）トレー（２）トレー中心部（３）トレー差込み凸部（４）トレー連結凸部（５）トレー連結凹部（６）トレー中心部差込み口（７）高台、（８）トレー裏面（９）輪ゴム
【図１】
2011240091.tif 000003
【図２】
2011240091.tif 000004
【図３】
2011240091.tif 000005
【図４】
2011240091.tif 000006
【図５】
2011240091.tif 000007
【図６】
2011240091.tif 000008
(57)【要約】【課題】天ぷらや卵焼き等を作る際、材料を攪拌したり、保持するために使用中の菜箸をボウルの中に入れておくと、ボウルの直径に対して全長の長い菜箸がその重みから、引っくり返ってしまったり不安定であった。  本発明は、菜箸等を安定して置いておくことができる調理用ボウルを提供する。【解決手段】側面に菜箸等の先端部が引っ掛かるような凹凸を設けたことを特徴とする調理用ボウル【選択図】図２
2011240093.tif 000002
【特許請求の範囲】
【請求項１】
側面に凹凸を設けた調理用ボウル
【請求項２】
側面に凹凸を設けた調理用容器
【発明の詳細な説明】
【技術分野】
【０００１】  本発明は、調理用ボウルに関するものである。
【背景技術】
【０００２】  従来は底面の平らな半球状のボウルを使用して調理していた。
【先行技術文献】
【０００３】
【特許文献１】  特開２００６−２６３２９３号公報
【特許文献２】  登録実用新案第３１３３１６５号
【発明の概要】
【発明が解決しようとする課題】
【０００４】  天ぷらや卵焼き等を作る際、材料を攪拌したり、保持するための菜箸をボウルの中に入れておくと、ボウルの直径に対して全長の長い菜箸がその重みから、引っくり返ってしまったり不安定であった。
本発明は、以上の問題点を解決するためになされたものである。
【課題を解決するための手段】
【０００５】  ボウルの側面に凹凸を設ける。
以上の形状よりなるボウル。
【発明の効果】
【０００６】  従来、ボウルの上部に乗せて転がってしまったり、内部に置いて引っくり返ってしまっていた菜箸をボウル内部に安定して置いておくことができる。材料のついた菜箸の先端部をボウル内部に置いておくことができるため、ボウルの外に材料が垂れたり飛び散ることを防ぐことができる。
本発明は菜箸だけでなくフライ返し等も置くことができる。
【図面の簡単な説明】
【０００７】
【図１】  本発明の断面図
【図２】  本発明の使用状態を示す断面図
【発明を実施するための形態】
【０００８】  以下、本発明の実施の形態を説明する。
（イ）ボウル本体（１）の側面（２）の一部または底面より一定の高さの外周全体に菜箸の先端が引っ掛かるような凹凸を設ける。
本発明は以上のような構造である。
本発明を使用するときは、菜箸の先端を凹凸部（３）へ引っ掛け、菜箸の柄の部分をボウルの上部（４）へ乗せて菜箸を横たわらせて使用する。
【符号の説明】
【０００９】  １  ボウル本体、２  側面、３  凹凸部、４  上部、５  底部、６  菜箸
【図１】
2011240093.tif 000003
【図２】
2011240093.tif 000004
(57)【要約】      （修正有）【課題】滑りやすい素材から成る滑り材をベッドと背中の間に差しこみ、体を一人で上方向に移動させる事ができる滑り板を提供する。【解決手段】滑りやすい素材から成る短冊状滑り板先端角に丸みを設け、差し込みを容易にする傾斜角度を設けた。一方の端は長穴付きの握り部を設ける。ベッドを水平にし、握り部を持ちマツトと背中の間に滑り板の先端を肩の方から臀部の方に滑り板を数枚差し込む。次にその滑り板の上面に滑り板を数枚差し込み二重とする。上下の滑り板の滑りにより体を上方向に楽に移動することができる。【選択図】図１
2011240097.tif 000002
【特許請求の範囲】
【請求項１】
滑りやすい素材から成る短冊状滑り板先端角に丸みを設け、差し込みを容易にする傾斜角度を設けたことを特徴とする滑り板。
【発明の詳細な説明】
【技術分野】
【０００１】本発明は、滑りやすい素材から成る傾斜角度付短冊状の滑り板をマットに仰臥している人の背中に横方向から滑り板を二重に数枚差し込みマット上の人を上方向に楽に滑らせながら移動させる介護に関するものである
【背景技術】
【０００２】従来、下（足元）方向に擦れ下がったマット上の人を上（頭）方向に移動差せるときは、左右横から二人で持ち上げて上方向に移動させていた。
【発明の開示】
【発明が解決しようとする課題】
【０００３】そのために、次のような問題点があった。
（イ）下方向に擦れた人を、上方向に移動させることは一人では大変難儀であった。
本発明は、これらの問題点を解決するためになされたものである。
【課題を解決するための手段】
【０００４】滑りやすい素材から成る短冊状滑り板先端角に丸みを設け、差し込みを容易にする傾斜角度を設けた。一方の端は長穴付きの握り部を設ける。以上を特徴とする滑り板である。
【発明の効果】
【０００５】マットと背中の間の二重の滑り板により、膝を立て臀部を上方向に押すだけで体を一人の力で移動できる。頭部も滑り板を置く。
きわめて一人で簡単に移動させることができる。
【発明を実施するための最良の形態】
【０００６】以下、本発明の実施の形態について説明する。
（イ）短冊状滑り板の先端を、マットと背中の間に差し込みやすくするために、アール付傾斜角度を設ける。
（ロ）滑り板一方の端に指差し込み長穴を設ける。
本発明は以上のような構成で、これを使用するときは、ベッドを水平にする。握り部（５）を持ちマツトと背中の間に滑り板の先端を肩の方から臀部の方に滑り板を数枚差し込む、次にその滑り板の上面に滑り板を数枚差し込み二重とする。上下の滑り板の滑りにより体を上方向に楽に移動することができる。滑り板を引き抜く時は長穴に指を掛け引き外す。
【実施例１】
【０００７】図１に示すように、二重からなる滑り板どうしの滑らかな滑りにより、膝を立て臀部を上方向に押すだけで一人で上方向に移動できる。
【図面の簡単な説明】
【０００８】
【図１】本発明の滑り板をマットと背中の間に二重に差しこんだ実施例を示す側面図
【図２】本発明の滑り板をマットと仰臥している背中に横方向から差し込む実施例を上から見た図
【図３】本発明の滑り板をマツトと仰臥している背中に二重に差し込んだ実施例を上から見た図
【図４】本発明の平面図
【符号の説明】
【０００９】  １  滑り板
２  丸み
３  傾斜角度
４  指掛け部
５  握り部
【図１】
2011240097.tif 000003
【図２】
2011240097.tif 000004
【図３】
2011240097.tif 000005
【図４】
2011240097.tif 000006
(57)【要約】【課題】  本発明は、背中の痒いときに使用する孫の手で、本体の先端に複数の山形状の突起を設け、湾曲した長尺板状の孫の手本体の他端に留め具を介して持ち手を回動自在に設けたことを特徴とする孫の手を提供する。【解決手段】  本体（３）の先端（１）に複数の山形状の突起（２）を設け、湾曲した長尺板状の孫の手本体の他端に留め具（４）を介して持ち手（５）を回動自在に設けたことを特徴とする孫の手。【選択図】図１
2011240100.tif 000002
【特許請求の範囲】
【請求項１】
本体の先端に複数の山形状の突起を設け、湾曲した長尺板状の孫の手本体の他端に留め具を介して持ち手を回動自在に設けたことを特徴とする孫の手。
【発明の詳細な説明】
【技術分野】
【０００１】  本発明は、背中の痒いときに使用する孫の手で、本体の先端に複数の山形状の突起を設け、湾曲した長尺板状の孫の手本体の他端に留め具を介して持ち手を回動自在に設けたことを特徴とする孫の手に関するものである。
【背景技術】
【０００２】  従来、背中の痒みを解消するために、長尺板状の物を利用していた。
【発明の概要】
【発明が解決しようとする課題】
【０００３】  そのために、次のような問題点がある。
背中の痒みを解消するために、長尺板状のものを利用していた。
孫の手は持ち手が長く、手先だけのため全体的に使いづらかった。
本発明は、これらの問題点を解決されるためになされたものである。
【課題を解決するための手段】
【０００４】  本体の一端に複数の山形状の突起を設けた、湾曲した長尺板状の孫の手本体の他端に留め具を介して持ち手を回動自在に設ける。
以上のように構成された孫の手である。
【発明の効果】
【０００５】  孫の手の使いづらい部分を本発明により可能にし、全体をコンパクトにすることが可能になった。
【図面の簡単な説明】
【０００６】
【図１】  本発明の側面図である。
【図２】  本発明の使用状態を示した側面図である。
【発明を実施するための形態】
【０００７】  以下、本発明の実施の形態について説明する。
（イ）先端（１）に複数の山形状の突起（２）を設ける。
（ロ）湾曲した長尺板状の本体（３）の他端に留め具（４）を設ける。
本発明は以上の構造である。
本発明を使用するときは、持ち手（４）を横で止める。
【符号の説明】
【０００８】１  先端
２  突起
３  本体
４  留め具
５  持ち手
【図１】
2011240100.tif 000003
【図２】
2011240100.tif 000004
(57)【要約】      （修正有）【課題】スーパーなどで、長い形状の野菜などを買ったとき、袋の中で倒れず、他の野菜も入れやすい買い物袋を提供する。【解決手段】買い物袋の袋部（１）の内側の両端に細長い小袋部（３）、小袋部（４）を袋部（１）の上面から底部まで設け、長い形状の野菜は左右の小袋部に立てて倒れないように入れ、他の野菜は袋部（１）に入れ、大きなものを入れる場合には、小袋部（３）小袋部（４）を閉じて袋部（１）を広くして使用する。【選択図】図１
2011240092.tif 000002
【特許請求の範囲】
【請求項１】
袋部（１）の内側の両端に細長い小袋部（３）、小袋部（４）を袋部（１）の底部まで設け、小袋部（３）小袋部（４）を閉じて袋部（１）を広くして使用することもできる、長い形状のものでも倒れない買い物袋。
【発明の詳細な説明】
【技術分野】
【０００１】  本発明は、スーパーなどで、たとえば、長い形状の野菜などを買ったとき、袋の中で倒れないように工夫し、袋部の内側の両端に細長い小袋部を設けた長い形状のものでも倒れない買い物袋に関するものである。
【背景技術】
【０００２】  従来、買い物袋に買物をした長い形状の野菜を入れるとき、いろいろな形状のものを一緒に入れていた。
そこで、たとえば、市販されている買い物袋に仕切りがないことから、他の買い物類などを詰める際、困難なため、仕切りを設けることで、棒状、または、冷凍食品類を区分し、他の商品が整理できる買い物袋が提案されていた（特許文献１参照）。
【先行技術文献】
【０００３】
【特許文献１】  特開２００６−２２３７９７号公報
【発明の概要】
【発明が解決しようとする課題】
【０００４】  たとえば、長い形状の野菜などを買物したとき、長い形状の野菜を入れようとすると、長い形状の野菜は買い物袋の中で倒れてしまい、他の野菜を入れるとき袋がゆがんで入れにくかった。
本発明は、以上の問題点を解決するためになされたものである。
【課題を解決するための手段】
【０００５】  袋部（１）の内側の両端に細長い小袋部（３）、小袋部（４）を袋部（１）の底部まで設ける。
以上の構成からなる長い形状のものでも倒れない買い物袋。
【発明の効果】
【０００６】  従来、倒れて入れにくかった長い形状の野菜も、倒れず入れることができる。
本発明は長い形状の野菜だけでなく他の野菜も入れ易くすることができ、持ち運びやすくなる買い物袋である。
【図面の簡単な説明】
【０００７】
【図１】  本発明の斜視図である。
【図２】  本発明の使用状態を示した斜視図である。
【図３】  本発明の使用状態を示した斜視図である。
【発明を実施するための形態】
【０００８】  以下、本発明の実施の形態を説明する
（イ）袋部（１）の内側の両端に細長い小袋部（３）、小袋部（４）を袋部（１）の底部まで設ける。
（ロ）小袋部（３）、小袋部（４）は袋部（１）の両端に寄せて小袋部を閉じることが出来る。
本発明は以上のような構造である。
本発明の使い方を説明する。
たとえば、長い形状の野菜は小袋部（３）、小袋部（４）に入れ、他の形状の野菜などは袋部（１）に入れる。
また、たとえば、長い形状の野菜は小袋部（３）に入れ、小袋部（４）を閉じて他の形状の野菜等は、広くした袋部（１）に入れる。
これにより、たとえば、長い形状の野菜でも倒れずに使用できる。
【符号の説明】
【０００９】１  袋部
２  持ち手部
３  小袋部
４  小袋部
【図１】
2011240092.tif 000003
【図２】
2011240092.tif 000004
【図３】
2011240092.tif 000005
(57)【要約】【課題】  本発明は、風呂で身体を洗うときに使用するシャーリングタオルを提供する。【解決手段】  タオルの中間にステッチを設け、このステッチの上方と下方にギャザーを寄せたタオルの上範囲とタオルの下範囲を残してステッチを設けることにより上下に持ち手を設けたことを特徴とするシャーリングタオル。【選択図】図１
2011240099.tif 000002
【特許請求の範囲】
【請求項１】
タオルの中間にステッチを設け、このステッチの上方と下方にギャザーを寄せたタオルの上範囲とタオルの下範囲を残してステッチを設けることにより上下に持ち手を設けたことを特徴とするシャーリングタオル。
【発明の詳細な説明】
【技術分野】
【０００１】  本発明は、風呂で身体を洗うときに使用するシャーリングタオルに関するものである。
【背景技術】
【０００２】  従来、風呂で身体を洗うためにナイロンタオルを使っていた。
【発明の概要】
【発明が解決しようとする課題】
【０００３】  そのために、次のような問題点がある。
風呂で身体を洗うとき、ナイロンタオルを使用するが、背中まできれいに洗うことが難しかった。
本発明は、これらの問題点を解決されるためになされたものである．
【課題を解決するための手段】
【０００４】  タオルの中間にステッチ（４）を設け、このステッチ（４）の上方と下方にギャザーを寄せたタオルの上範囲（２）とタオルの下範囲（３）を残してステッチ（４）を設けることにより上下に持ち手（５）を設ける。
以上のように構成されたシャーリングタオルである。
【発明の効果】
【０００５】  従来のナイロンタオルでは効果が得られなかったことが、本発明により可能にし、背中まできれいに洗うことが出来る。
【図面の簡単な説明】
【０００６】
【図１】  本発明の正面図である。
【発明を実施するための形態】
【０００７】  以下、本発明の実施の形態について説明する。
（イ）ナイロンタオルの中心（１）よりタオルの上範囲（２）とタオルの下範囲（３）に  ギャザーを寄せる。
（ロ）ギャザーを寄せた上下にステッチ（４）をする。
（ハ）タオルの上範囲（２）とタオルの下範囲（３）に持ち手（５）を設ける。
本発明は以上のような構造である。
本発明を使用するときは、持ち手（５）を両手で持って背中を洗う。
【符号の説明】
【０００８】１  タオルの中心
２  タオルの上範囲
３  タオルの下範囲
４  ステッチ
５  持ち手
【図１】
2011240099.tif 000003
(57)【要約】【課題】万年筆のペン先において、ブランド名やペン先のサイズあるいは材質など、ペン先の表面に設ける刻印を線の巾が狭く少量多品種にも対応できるようにする。またさらに、ペン先の表面に対して刻印が見易いものとする。【解決手段】表面１ａに刻印２を有する万年筆のペン先１であって、前記刻印２がレーザー彫刻により設けてあることを特徴とする万年筆のペン先。さらに、前記刻印２の底面２ａが梨地であることを特徴とする万年筆のペン先。【選択図】図１
2011240518.tif 000002
【特許請求の範囲】
【請求項１】
表面に刻印を有する万年筆のペン先であって、前記刻印がレーザー彫刻により設けてあることを特徴とする万年筆のペン先。
【請求項２】
前記刻印の底面が梨地であることを特徴とする請求項１に記載の万年筆のペン先。
【発明の詳細な説明】
【技術分野】
【０００１】
本発明は、表面に刻印を有した万年筆のペン先に関する。
【背景技術】
【０００２】
従来、万年筆のペン先においては、特開２００２−３６２０８１号公報の図に記載があるように、ブランド名やペン先のサイズあるいは材質などの刻印を施したものが多く、その刻印は、通常ポンチを用いて成形してある。またポンチの寿命を考慮した場合には、ポンチの先端を尖らせることはできず、結果的に巾の狭い線の刻印を形成することが困難であった。またポンチは、刻印やペン先形状にあわせて専用に制作する必要があり、打刻による刻印は少量多品種の対応には不向きである。また、打刻による刻印は、ペン先をペン芯の外形形状に合わせた曲面形状にプレス成形する前に、先に形成したポンチによる刻印を形成する必要があるため、その後の曲面形状のプレス成形時において刻印の形がいびつになってしまう場合もあった。
【先行技術文献】
【特許文献】
【０００３】
【特許文献１】特開２００２−３６２０８１号公報
【発明の概要】
【発明が解決しようとする課題】
【０００４】
本発明は、線の巾が狭い刻印を可能とし、少量多品種の刻印にも対応した万年筆のペン先を提供することを目的とする。
【課題を解決するための手段】
【０００５】
本発明は、
「１．表面に刻印を有する万年筆のペン先であって、前記刻印がレーザー彫刻により設けてあることを特徴とする万年筆のペン先。
２．前記刻印の底面が梨地であることを特徴とする１項に記載の万年筆のペン先。」である。
【０００６】
本発明におけるペン先は、金、金合金、ステンレス等の金属板材をプレスによりペン先外形形状に打抜き加工した後に曲げ成形したもの、あるいは薄肉円筒形状の金属パイプを斜めに切断してペン先を軸筒と一体に成形したものである。またペン先にレーザー彫刻を行うレーザー彫刻機は、ペン先の曲面形状に応じてレーザー加工できるものを用いることが肝要である。
【発明の効果】
【０００７】
本発明の万年筆のペン先は、レーザー彫刻により刻印を設けるので、ポンチと異なり寿命を心配する必要がないことから、線の巾が狭い刻印が可能であると共に、刻印する形状の情報をレーザー彫刻機へ入力することで、各種多様な刻印の加工が可能となり、少量多品種のペン先の刻印にも対応ができるようになった。また、レーザーにより成形した刻印は成形した底面が梨地となるため、線の巾が狭くまた深さが浅い刻印であっても、刻印以外の表面と刻印とにコントラストが生じて刻印が見やすいという効果が生じる。さらにレーザー彫刻は前述の通り溝の浅い刻印でも見やすく成形することが可能であることから、刻印の中にインキのカスが溜まりにくいペン先を提供することができる。
【図面の簡単な説明】
【０００８】
【図１】図１は本実施例の万年筆のペン先である。
【図２】図２は図１のペン先をインキ吸入機構を有する万年筆に使用した状態の図で、ペン先をインキ瓶に浸けた状態の図である。
【図３】図３は比較例の万年筆のペン先である。
【発明を実施するための形態】
【０００９】
刻印の線の巾が狭く少量多品種にも対応できる万年筆のペン先を実現した。
【実施例】
【００１０】
次に図面を参照しながら本実施例の説明を行う。図中の同じ部材、同じ部品については、同じ符号としてある。本発明は以下の実施例に限定されるものではない。
【００１１】
図１に示すように万年筆のペン先１は、表面１ａに「己」という文字の刻印２を設けてある。本実施例の刻印２は、レーザー彫刻機（図示せず）により形成したものである。また本実施例の刻印２は深さ０．１ｍｍの浅い状態で形成してあるが、刻印２の底面２ａが梨地になっていることから、刻印２以外の表面１ａとにコントラストが生じて見やすく、また図２に示すように、ペン先１をインキ吸入式万年筆３に装着してインキ４が入ったインキ瓶５に浸けた場合でも、ペン先１の刻印２の部分にインキ４が付着しにくく、刻印２にインキ４のカスが溜まりにくいものとなった。
【００１２】
図３は比較例で、ペン先１０の表面１０ａにポンチ（図示せず）で打刻した刻印２０を形成したものである。比較例のペン先１０における刻印２０の底面２０ａは、刻印２０以外の表面１０ａとの差がないため角度によっては見づらく、またポンチの寿命を考慮してあることから、ハネの部分２０ｂが、先端を尖らせることができずに丸みをおびてしまった。
【産業上の利用可能性】
【００１３】
本発明の万年筆のペン先は文字の刻印だけでなく、絵柄や模様などの刻印を形成することも可能である。
【符号の説明】
【００１４】
１…ペン先、１ａ…表面、
２…刻印、２ａ…底面、
３…インキ吸入式万年筆、４…インキ、５…インキ瓶、
１０…ペン先、１０ａ…表面、
２０…刻印、２０ａ…底面、２０ｂ…ハネの部分。
【図１】
2011240518.tif 000003
【図２】
2011240518.tif 000004
【図３】
2011240518.tif 000005
(57)【要約】      （修正有）【課題】入浴時、腰掛の冷たさと硬さが、お尻に伝わらないように、エアークッションの上下面に、滑り止めと、腰掛上に固定するための吸盤を設けた、入浴時、腰掛上に敷くエア−クッションを提供する。【解決手段】エアークッション１の上下面に、滑り止め２を設け、吸盤３にて腰掛上に固定できるようにした、入浴時、腰掛上に敷くエアークッション１を特徴とする。【選択図】図１
2011240102.tif 000002
【特許請求の範囲】
【請求項１】
エアークッション（１）の上下面に、滑り止め（２）を設け、エアークッションが固定できるように、吸盤（３）を取り付けたことを特徴とする、入浴時、腰掛上に敷くエアークッション。
【発明の詳細な説明】
【技術分野】
【０００１】  この発明は、エアークッションに滑り止めと外れ止めを設けた、入浴時、腰掛上に敷くエアークッションに関するものである。
【背景技術】
【０００２】  従来、風呂いすマット（特許文献１参照）、また、風呂の腰掛け用シートクッション（特許文献２参照）、はあったが、入浴時の腰掛上に敷く、エアークッションはなかった。
【先行技術文献】
【０００３】
【特許文献１】特開２００４−３０５６６８号広報
【特許文献２】特開２００２−１４３０２０号広報
【発明の概要】
【発明が解決しょうとする課題】
【０００４】  そのため、次のような問題点があった。
（イ）従来、冬季の入浴時には腰掛が冷たく、お湯を掛けたり我慢したりして座っていた    。
（ロ）いすマットやシートクッションでは、快適なクッション性がなかった。
本発明は、これらの問題点を解決するために、なされたものである。
【課題を解決するための手段】
【０００５】  エアークッション（１）の上下面に滑り止め（２）を設け、腰掛に固定できるように吸盤（３）を取り付けたものである。
以上を特徴とする、入浴時、腰掛上に敷くエアークッションである。
【発明の効果】
【０００６】（イ）腰掛とお尻の間に、エアークッションが入るので、腰掛の冷たさと硬さが、お尻に    伝わらない。
（ロ）腰掛やお尻が濡れていても、滑り止めにより、滑らない。
（ハ）吸盤により、腰掛上にエアークッションを固定できる。
【図面の簡単な説明】
【０００７】
【図１】本図の斜視図である。
【図２】本図の側面図である。
【図３】本図の使用状態を示す斜視図である。
【発明を実施するための形態】
【０００８】  以下、本発明の実施の形態について説明する。
Ｕの字形状のエアークッション（１）の上下面に、滑り止め（２）と固定用吸盤（３）を設ける。
本発明は、以上のような構成である。
これを使用するときは、入浴時、腰掛の上に本エアークッション（１）、（２）を載せ、吸盤（３）にて固定するので、腰掛からもお尻からも、エアークッション（１）、（２）がずれることはなく、立ち上がったときなどにも、腰掛から外れることはない。
エアーを適量に入れることで、クッション性と安定性が得られ、エアーを多く入れたときには、体を洗いながらバランス感覚が鍛えられて、美容と健康によい。
使用前に、湯面に浮かべて温めておくと、座り心地が非常によくなる。
使用後は、風呂場のどこにでも、吸盤（３）にて掛けておけるので、水切りや乾燥が楽である。
尚、Ｕの字以外に、四角い座布団形状としてもよいし、花の形状や魚のような動物の形状としてもよく、エアー室を１室から何室かに分割しても、安定性が増してよい。
エアークッションの材料として、衝撃緩衝材のような、エアー室を多数設けたものを中に入れてもよい。
【符号の説明】
【０００９】  １    エアークッション
２    滑り止め
３    吸盤
【図１】
2011240102.tif 000003
【図２】
2011240102.tif 000004
【図３】
2011240102.tif 000005
(57)【要約】      （修正有）【課題】つまようじを使用した食物を口に運ぶ場合、なかには崩れてしまう食物もあり、持ち上げられなかったり、口の手前で落したりと、スムーズに口運びができないことが多かった。食物を、崩さず、落さず、スムーズに口運びができるつまようじ挟み具を提供する。【解決手段】挟み具１の各腕部２の先端に小穴３をあける。あけた小穴３につまようじ４をさしこむ。【選択図】図１
2011240103.tif 000002
【特許請求の範囲】
【請求項１】
挟み具の各腕部の先端に小穴をあけたつまようじ挟み具
【発明の詳細な説明】
【技術分野】
【０００１】本発明は食事のときに使用するつまようじに関するものである。
【背景技術】
【０００２】従来、つまようじは１本で使用するものであった
【発明の開示】
【発明が解決しようとする課題】
【０００３】つまようじを使用した食物を口に運ぶ場合、なかには、崩れてしまう食物もあり、持ち上げられなかったり、口の手前で落したりと、スムーズに口運びができないことが多かった。
本発明は以上の問題点を解決するためになされたものである。
【課題を解決するための手段】
【０００４】挟み具の各腕部の先端に小穴をあける。あけた小穴につまようじを、さしこむ。
以上の構成よりなるつまようじ挟み具
【発明の効果】
【０００５】従来、不可能とされていたつまようじで、食物をつまむことを、本発明により可能にし、食物を、崩さず、落さず、スムーズに口運びができる。
【発明を実施するための最良の形態】
【０００６】  以下、本発明の実施の形態を説明する。
（イ）二又状の挟み具（１）の各腕部（２）の先端に小穴（３）をあける。
（ロ）小穴（３）につまようじ（４）をさしこむ。
本発明は以上のような構造である。
本発明を使用するときは、各腕部（２）の小穴（３）に内側からつまようじ（４）をさしこみ適当な長さにし、フォークにも箸にも、使いわけができる。これにより、崩れやすい食物でもスムーズに口運びができる。使用後は、つまようじを抜きとり、挟み具を洗浄すればいつまでも使用できる。
【図面の簡単な説明】
【０００７】
【図１】本発明の斜視図
【図２】本発明の使用状態を示す斜視図
【符号の説明】
【０００８】（１）挟み具、（２）腕部、（３）小穴、（４）つまようじ
【図１】
2011240103.tif 000003
【図２】
2011240103.tif 000004
(57)【要約】【課題】座椅子に座って食事をしたり、こたつに入っていたりすると、特に年寄りや足の弱い人は立ち上がるのが大変である。そこで本発明は、座面を高く持ち上げて膝にかかる力を軽減する効果を狙ったものである。【解決手段】座面の両脇にある肘掛け３の内部のスペースにパンタグラフ式のジャッキ５を設置し、それをモーター４で動かして座椅子本体１を高く持ち上げるようにしたものである。【選択図】図４
2011240112.tif 000002
【特許請求の範囲】
【請求項１】
座椅子から立ち上がるときに膝にかかる負担を軽減するために、座面を高くすることが出来ることを特徴とした座椅子。
【発明の詳細な説明】
【技術分野】
【０００１】本発明は、立ち上がることを楽にするために、座椅子本体を持ち上げて、結果として人が座る座面を高くするようにしたものである。
【背景技術】
【０００２】従来は座面を高くすることが出来る座椅子はなかった。
【先行技術文献】
【特許文献】
【０００３】
【発明の概要】
【発明が解決しようとする課題】
【０００４】座椅子に長く座っていると、足の弱い人や年寄りなどは立ち上がるのが苦痛であった。
本発明は、この課題を解消するためになされたものである。
【課題を解決するための手段】
【０００５】座椅子の座面を高くすれば立ち上がるとき膝にかかる力が軽減するので、そのためには、油圧ポンプや種々の歯車の組合わせも考えられるが、本発明では、座椅子の本体と底板（土台板）を分離して、パンタグラフ式の電動ジャッキを座面左右の肘掛けの内部に設置して、座椅子本体を容易に持ち上げるようにした。
【発明の効果】
【０００６】本発明によって、座椅子から立ち上がる際の膝にかかる力を軽減することが出来て、足の弱い人や老人でも座椅子から楽に立ち上がることが出来るようになった。
【図面の簡単な説明】
【０００７】
【図１】本発明に関わる座椅子の斜面図である。
【図２】本発明に関わる座椅子の俯瞰図である。
【図３】本発明の座椅子本体が下がっている状態を示す断面図である。
【図４】本発明の座椅子本体が上がっている状態を示す断面図である。
【発明を実施するための形態】
【０００８】以下、本発明の実施の形態について説明する。
（イ）  座椅子を座面と底板（土台板）とに分けて、座面の左右にある肘掛けの内部のスペースにパンタグラフ式のジャッキを収納する。
（ロ）  ジャッキの中心のねじ棒が回ってジャッキが上に動いたときに、底板を起点にして座椅子本体が持ち上がるように工作する。下げるときはモーターを逆回転させればよい。なおジャッキのねじ棒を回すモーターは、共回りをしないように工夫されなくてはならない。
【符号の説明】
【０００９】１  座椅子本体
２  座椅子の座面
３  肘掛け
４  モーター
５  ジャッキ
６  本体を回転させるためのボール
７  座椅子の底板（土台板）
【図１】
2011240112.tif 000003
【図２】
2011240112.tif 000004
【図３】
2011240112.tif 000005
【図４】
2011240112.tif 000006
(57)【要約】【課題】鉛を含まないはんだを開発することは急務であり、家電業界などでは電子基板用のはんだは無鉛化の動きが急速に広まっている。しかし、車両用のガラスとの接点を取るための給電端子用はんだは、電子基板用のはんだと比較し、接着強度の要求値が高い。また、電子基板のような柔軟な素材と比較し、ガラスは硬いため、温度変化時のはんだの熱収縮によって、ガラスにクラックが発生しやすく、電子基板用無鉛はんだをそのまま転用するこができない。【解決手段】質量％で表して、Ｉｎが２６〜５６、Ａｇが０〜１０、Ｓｎが残部である３４〜７４、であることを特徴とする車両用無鉛はんだ組成物。ヤング率が５０ＧＰａ以下である性質も持つ。【選択図】  なし【特許請求の範囲】
【請求項１】
質量％で表して、
Ｉｎが２６〜５６、
Ａｇが０〜１０、
Ｓｎが残部である３４〜７４、
であることを特徴とする車両用無鉛はんだ組成物。
【請求項２】
ヤング率が５０ＧＰａ以下であることを特徴とする、請求項１に記載の車両用無鉛はんだ組成物。
【発明の詳細な説明】
【技術分野】
【０００１】
本発明は、特に自動車のガラスへのはんだ付けに適するはんだ組成物であって、無鉛であることを特徴とするものである。
【背景技術】
【０００２】
車両にはデフォッガやアンテナを受信するため、車体とガラスの接点を取る給電端子が施され、給電端子とガラスは鉛を含むはんだによって接続されている。一般的に、鉛は毒性の強い環境汚染物質であり、鉛の健康・環境への影響への懸念、特に生態系への悪影響や汚染が問題視されている。そのため、給電端子用のはんだを無鉛化する動きが急速に広まっている。
【０００３】
また、車両を廃棄した場合には、給電端子のはんだに酸性雨などが接触すると、鉛が環境中に溶出し、環境負荷を与えてしまう原因となる。このことから、車両用のはんだの無鉛化は必要不可欠な状況となっている。
【０００４】
家電業界を始め大部分の業界が、種々のはんだ付け用途のために低鉛または無鉛のはんだをすでに使用している。それらの一般的な無鉛のはんだは、Ｓｎの含有量が極めて多いという特徴がある(例えば特許文献１参照)。
【先行技術文献】
【特許文献】
【０００５】
【特許文献１】特表２００９−５０９７６７号公報
【発明の概要】
【発明が解決しようとする課題】
【０００６】
しかしながら、自動車のガラスと装置をはんだ付けする用途では、一般的な家電分野とは異なる問題が存在する。すなわち、金属同士をはんだ付けする場合と異なり、高Ｓｎ無鉛はんだは、自動車のガラスに割れを生じさせる可能性がある。
【０００７】
例えば、上記特表２００９−５０９７６７号公報に記載のものは、Ｓｎを９０％以上程度含んでいるが、電子基板のような柔軟な素材と比較し、ガラスは硬いため、そのまま使用することはできない。これは膨張係数が金属とガラスで大きく異なるのが一因であるが、金属の膨張係数をガラスと同じ程度にすることは困難であるので、弾性係数の小さい(柔らかい)材料が求められる。
【課題を解決するための手段】
【０００８】
本発明は、質量％で表して、Ｉｎが２６〜５６、Ａｇが０〜１０、Ｓｎが残部である３４〜７４、であることを特徴とする車両用無鉛はんだ組成物である。
【０００９】
また、ヤング率が５０ＧＰａ以下であることを特徴とする、上記の車両用無鉛はんだ組成物である。
【発明の効果】
【００１０】
本発明により、無鉛であることで環境に悪影響を与えず、かつ一般的な高Ｓｎ無鉛はんだと違って熱応力も小さいため、車両用無鉛はんだとして好適な無鉛はんだ組成物を得ることができる。
【発明を実施するための形態】
【００１１】
本発明は車両用無鉛はんだとして好適な、Ｓｎ−Ｉｎ−Ａｇ系無鉛はんだ組成物である。
【００１２】
本発明の成分系においてＩｎは質量％で２６〜５６％であることが望ましい。Ｉｎは特に本発明のはんだの弾性率に影響する。Ｉｎが２６％未満では、弾性率が大きくなり、ガラスにクラックを与える可能性がある。逆にＩｎが５６％を超えると、常温付近の温度変化においてもＩｎ３Ｓｎ／Ｉｎ３Ｓｎ+ＩｎＳｎ４の相変化による内部応力の残留や、クラック発生により、はんだの接着強度が低下する。より望ましくは４６〜５６％の範囲である。
【００１３】
Ａｇは必須ではないが、はんだの疲労強度や対衝撃強度を上げる成分である。質量％で０〜５％が望ましい。５％を超えると粗大なＡｇ３Ｓｎが析出し、強度低下や疲労強度を低下させる原因となる。より望ましくは１〜５％である。
【実施例】
【００１４】
以下、実施例に基づき、説明する。
【００１５】
３５０ｍｍ×１５０ｍｍ×３．５ｔのソーダライムガラス基板に、一般的な自動車用ガラスの熱線部と端子を接続させるために設ける銀のバスバー部を加工するのと同様に、銀ペーストをメッシュ：＃200のスクリーンを用いてスクリーン印刷し、銀プリント（サイズ：１２×７０ｍｍ、１５箇所）を施した。スクリーン印刷したガラスは乾燥した後、加熱処理し、強化ガラスを得た。
【００１６】
黄銅製給電端子に、実施例及び比較例の組成の無鉛はんだを２ｍｍ厚程度になるように盛り、給電端子を準備した。
【００１７】
ガラス上の銀バスバー部にはんだ盛りした給電端子をセットし、３００℃以上の熱風を給電端子に加熱し、はんだを溶融させ、銀のバスバー部にはんだ付けした。その後、一定時間後冷却処理したものを試料とした。
【００１８】
このようにして作製した各試料について、接着強度、外観、温度サイクル試験による変化を確認した。接着強度は１５０Ｎ以上であるものを合格とした。外観ははんだ表面のクラックの有無を目視で観察し、クラックのないものを合格とした。温度サイクル試験は９０℃×１５ｈｒ・−４０℃×１５ｈｒ、２０サイクル行い、試験後にガラス面に外観変化(クラック)のないものを合格とした。
【００１９】
（結果）
実施例を表１に、比較例を表２に示す。
【表１】
2011240352.tif 000002
【表２】
2011240352.tif 000003
【００２０】
表から明らかなように、実施例１〜５の各試料は、各組成が適切な範囲であるため、接着強度、外観、温度サイクルによるガラスへの影響がなく全て良好であった。
【００２１】
これらに対して、比較例１〜５の試料は、組成範囲が適当でないために、強度、外観、ガラスへの影響の何れかに問題があり、車両用無鉛はんだとして適用し得ない結果となった。
(57)【要約】【課題】従来のベル、ブザーは歩行者の背後からの接近に注意を促す場合は有効であるが、見通しの悪い交差路において自転車の接近を認識させるには不向きであった。  本発明は見通しの悪い交差路においても自転車の存在を認識でき、歩行者との接触を回避できるようにする為になされたものである。【解決手段】断続的に電子音を発生させる回路を有する電子音発生装置を自転車に装着し、装着ボックス内電池を共有電源とし、スイッチ式で、電子音発生、前照ライト、手元明かり等を自由に操作する。【選択図】図２
2011240926.tif 000002
【特許請求の範囲】
【請求項１】
自転車のハンドルにベルやブザーの代わりに取り付ける電子音発生装置において、共有電源から電子音発生基板を通りスピーカーに至る回路を一つのボックス内に収容し、ボックスの前面に前照ライト、ボックスの側面にフレキシブル支軸の先に手元明かりを設け、前照ライトのスイッチと音発生スイッチをボックスの側面に設け、手元明かりの明かりスイッチは手元明かり自身の背面にボタンスイッチの形で設け、ボックスの背面（自転車に乗っている人の対面）に時計を差し込み装着式で設け、ボックスは固定金具でハンドルに固定されることを特徴とする自転車用電子音発生装置。
【発明の詳細な説明】
【技術分野】
【０００１】  本発明は自転車と歩行者との接触事故を回避するための自転車用電子音発生装置に関する。
【背景技術】
【０００２】  従来、自転車と歩行者との接触事故を回避する手段として手動式のベル、ブザーなどが知られているが、録音された音データに置き換えその音データを再生し、注意を促す装置などもある。（特許文献１参照）
【先行技術文献】
【特許文献】
【０００３】
【特許文献１】特開２００３−１７０８７５号公報
【発明の概要】
【発明が解決しようとする課題】
【０００４】  従来のベル、ブザーは歩行者の背後からの接近に注意を促す場合は有効であるが、見通しの悪い交差路において自転車の接近を認識させるには不向きであった。本発明は見通しの悪い交差路においても自転車の存在を認識でき、歩行者との接触を回避できるようにする為になされたものである。
【課題を解決するための手段】
【０００５】  自転車のハンドルにベルやブザーの代わりに取り付ける電子音発生装置において、共有電源から電子音発生基板を通りスピーカーに至る回路を一つのボックス内に収容し、ボックスの前面に前照ライト、ボックスの側面にフレキシブル支軸の先に手元明かりを設け、前照ライトのスイッチと音発生スイッチをボックスの側面に設け、手元明かりの明かりスイッチは手元明かり自身の背面にボタンスイッチの形で設け、ボックスの背面（自転車に乗っている人の対面）に時計を差し込み装着式で設け、ボックスは固定金具でハンドルに固定する。
以上を特徴とする自転車用電子音発生装置。
【発明の効果】
【０００６】（イ）自転車に本発明の電子音発生装置を装着し走行することにより、歩行者は近づく電子音により自転車の存在を認識でき、接触事故を回避できる。
（ロ）夜間において、前照ライトは前方の安全確認、また手元明かりにおいてはメモ、地図等の確認ができる。
（ハ）走行しながらの腕時計や携帯電話等による時刻の確認は危険であるが、運転者の対面に時計を配置することにより、安全に時刻の確認ができる。
【図面の簡単な説明】
【０００７】
【図１】本発明の回路図
【図２】本発明の使用時における前面を表す斜視図
【図３】本発明の使用時における背面を表す斜視図
【発明を実施するための形態】
【０００８】以下、本発明の形態を説明する。
自転車のハンドルにベルやブザーの代わりに取り付ける電子音発生装置において、共有電源の電池（１）から電子音発生基板（２）を通りスピーカー（３）に至る回路を一つのボックス（Ａ）内に収容し、ボックスの前面に前照ライト（４）、ボックスの側面にフレキシブル支軸（１２）の先に手元明かり（５）を設け、前照ライトのスイッチ（６）と音発生スイッチ（７）をボックスの側面に設け、手元明かりの明かりスイッチ（８）は手元明かり自身の背面にボタンスイッチの形で設け、ボックスの背面（自転車に乗っている人の対面）に時計（９）を差し込み装着式で設け、ボックスは固定金具（１０）でハンドル（１１）に固定する。
本発明は以上のような構成である。
【符号の説明】
【０００９】  １  電池、    ２  電子音発生基板、    ３  スピーカー、    ４  前照ライト、    ５  手元明かり、    ６  前照ライトのスイッチ、    ７  音発生スイッチ、    ８  手元明かりの明かりスイッチ、    ９  時計、    １０  固定金具、    １１  ハンドル、    １２  フレキシブル支軸、    Ａ  ボックス
【図１】
2011240926.tif 000003
【図２】
2011240926.tif 000004
【図３】
2011240926.tif 000005
(57)【要約】【課題】  バナナは熟成が早く、傷みやすく、長期保存が難しかった。本発明は長期保存が可能なバナナ保存袋を提供する。【手段】ビニール袋（１）の内側にある袋状のクッション材（２）の中にバナナ（３）を１本入れジッパー（４）を密封して、穴（５）にフックを通し吊るして保存する。【選択図】図２
2011240987.tif 000002
【特許請求の範囲】
【請求項１】
ジッパー付きビニール袋の中に、クッション材がついている。
【請求項２】
上部にフックで吊るせるように穴があいている。
【発明の詳細な説明】
【技術分野】
【０００１】  本発明は、バナナ１本分が入るサイズのジッパー付きビニール袋で、中にクッション材がついており、バナナを長期保存させるものである。
【背景技術】
【０００２】  バナナの保存は、房ごと室内に置いたり、フックに吊り下げたり、ラップやビニールに包み冷蔵庫で保存したりすることが一般的である。
【発明の概要】
【発明が解決しようとする課題】
【０００３】  バナナを房ごと保存した場合、バナナから出るエチレンガスの発生により、バナナ同士がお互いに熟成を早め、すぐに熟れすぎてしまい長期保存が難しかった。又、バナナ自身の重さでバナナの底部が茶色く変色し、傷みやすかった。冷蔵庫で保存した場合、低温障害がおきやすかった。本発明は、これらの問題点を解決するためになされたものである。
【課題を解決するための手段】
【０００４】  （１）ビニール袋の（２）内側にある袋状のクッション材の中に（３）バナナを１本入れ（４）のジッパーを密封して、（５）の穴にフックを通し吊るして保存する。
【発明の効果】
【０００５】  本発明を使用することによって、バナナから出るエチレンガスの発生を抑えられるので食べ頃のまま長期保存が可能。デリケートなバナナをクッション材が覆うことで接地からの傷みを防ぐ事が出来る。冷蔵庫で保存した場合、直接冷気が当たらないので低温障害になりにくい。
【図１】
2011240987.tif 000003
【手続補正書】
【提出日】平成22年7月9日(2010.7.9)
【手続補正１】
【補正対象書類名】明細書
【補正対象項目名】全文
【補正方法】変更
【補正の内容】
【発明の詳細な説明】
【技術分野】
【０００１】  本発明は、バナナ１本分が入るサイズのジッパー付きビニール袋で、中にクッション材がついており、バナナを長期保存させるものである。
【背景技術】
【０００２】  バナナの保存は、房ごと室内に置いたり、フックに吊り下げたり、ラップやビニールに包み冷蔵庫で保存したりすることが一般的である。
【発明の概要】
【発明が解決しようとする課題】
【０００３】  バナナを房ごと保存した場合、バナナから出るエチレンガスの発生により、バナナ同士がお互いに熟成を早め、すぐに熟れすぎてしまい長期保存が難しかった。又、バナナ自身の重さでバナナの底部が茶色く変色し、傷みやすかった。冷蔵庫で保存した場合、低温障害がおきやすかった。本発明は、これらの問題点を解決するためになされたものである。
【課題を解決するための手段】
【０００４】  ビニール袋（１）の内側にある袋状のクッション材（２）の中にバナナ（３）を１本入れジッパー（４）を密封して、穴（５）にフックを通し吊るして保存する。
【発明の効果】
【０００５】  本発明を使用することによって、バナナから出るエチレンガスの発生を抑えられるので食べ頃のまま長期保存が可能。デリケートなバナナをクッション材が覆うことで接地からの傷みを防ぐ事が出来る。冷蔵庫で保存した場合、直接冷気が当たらないので低温障害になりにくい。
【図面の簡単な説明】
【０００６】
【図１】本発明の斜視図
【図２】本発明の使用状態を示す正面図
【発明を実施するための形態】
【０００７】以下、本発明の実施の形態を説明する。
ビニール袋（１）の内側にある袋状のクッション材（２）の中にバナナ（３）を１本入れジッパー（４）を密封して、穴（５）にフックを通し吊るして保存する。
【符号の説明】
【０００８】    １  ビニール袋
２  クッション材
３  バナナ
４  ジッパー
５  穴
【手続補正２】
【補正対象書類名】特許請求の範囲
【補正対象項目名】全文
【補正方法】変更
【補正の内容】
【特許請求の範囲】
【請求項１】
ジッパー付きビニール袋の中に、クッション材がついている。
【請求項２】
上部にフックで吊るせるように穴があいている。
【手続補正４】
【補正対象書類名】図面
【補正対象項目名】全図
【補正方法】変更
【補正の内容】
【図１】
2011240987.tif 000004
【図２】
2011240987.tif 000005